(57)【特許請求の範囲】
【請求項１】
集合住宅の各住戸にそれぞれ設置された住戸インターホンと、集合住宅の共同玄関に設置された集合玄関インターホンと、集合住宅に設けられ前記住戸インターホンおよび集合玄関インターホンの通信信号および音声信号の送受信を制御する通話制御装置と、
前記住戸インターホンと前記通話制御装置とに接続され、アナログ信号である音声信号が送受信される通話線と、
前記住戸インターホンと前記通話制御装置とに接続され、デジタル信号である通信信号が送受信される通信線と
を備えたインターホンシステムにおいて、
前記各住戸インターホンに、レギュレータを有し、前記通信信号を入出力するための入出力回路を設けると共に、前記通話制御装置に、電流制御回路を有し、前記通信信号を入出力するための入出力回路を設け、
該入出力回路に、相互の装置を電気的に絶縁し、かつ信号の授受を行うためのフォトカプラを設け、
それぞれの前記入出力回路の接続端子に前記通信線を接続して、
前記デジタル信号の送受信によるグランド電位の変動の影響を与えずに、前記音声信号の伝送品質を確保することを特徴とするインターホンシステム。
【請求項２】
前記住戸インターホンに設けられ、前記入出力回路に接続される入出力端子を有するマイクロコンピュータと、
前記通話制御装置に設けられ、前記入出力回路に接続される入出力端子を有するマイクロコンピュータとを備え、
前記入出力回路のマイクロコンピュータ側のグランドは、前記フォトカプラによってそれぞれ前記通信線とは電気的に切り離されることを特徴とする請求項１記載のインターホンシステム。
【発明の詳細な説明】
【０００１】
【発明の属する技術分野】
本発明は、複数の住戸からなる集合住宅に設けられたインターホンシステムに係り、さらに詳しくは、インターホンシステムを構成する各装置間で送受信される信号、特にアナログ信号に対するノイズを防ぐことができるインターホンシステムに関するものである。
【０００２】
【従来の技術】
現在、例えばマンションおよびアパートの如き集合住宅においては、その集合住宅の例えば１階に設けられた共同玄関のドアの近傍に設置されたカメラ付き集合玄関インターホン（集合玄関機）と、各住戸にそれぞれ設置されたモニタ付き住戸インターホンと、集合住宅の例えば管理室に設置された通話制御装置および映像制御装置とを有するインターホンシステムが備えられている。
【０００３】
そして、例えば来訪者が共同玄関先に設置された集合玄関インターホンで訪問先の住戸番号を入力して呼び出し操作を行うと、呼出信号が通話制御装置を介して呼び出された住戸の住戸インターホンに送られ、同時に集合玄関インターホンのカメラが来訪者を撮像し、映像信号が映像制御装置を介して呼び出された住戸の住戸インターホンのモニタに送られ、来訪者が映し出される。ついで、居住者が住戸インターホンの送受話器をあげると、通話制御装置を介して来訪者および居住者の間での通話が可能となる。また、居住者による住戸インターホンでの共同玄関のドアの解錠操作を行うと、集合玄関インターホンを介して共同玄関のドアが開放され、来訪者が集合住宅内に入館可能となる。
【０００４】
【発明が解決しようとする課題】
上記のような従来のインターホンシステムは、通信線、通話線または映像線である制御線によって、カメラ付き集合玄関インターホン、モニタ付き住戸インターホン、通話制御装置および映像制御装置の各装置が接続されており、この制御線を介して各装置間での信号（通信信号、音声信号、映像信号）の送受信が行われている。なお、通信線を介して送受信される呼出信号等の通信信号はディジタル信号であり、通話線を介して送受信される音声信号および映像線を介して送受信される映像信号はアナログ信号である。
【０００５】
ここで、図５に従来のインターホンシステムに係る住戸インターホンおよび通話制御装置の通信信号の入出力回路図を示す。
図において、住戸インターホン１の入出力端子ｔ１，ｔ２は、住戸インターホン１の入出力回路１Ａを介してその入出力回路１Ａの接続端子ｔ３，ｔ４に接続され、通話制御装置４の入出力端子ｔ５，ｔ６は、通話制御装置４の入出力回路４Ａを介してその入出力回路４Ａの接続端子ｔ７，ｔ８に接続されている。また、住戸インターホン１の接続端子ｔ３，ｔ４と通話制御装置４の接続端子ｔ７，ｔ８とは通信線Ｌを介して接続され、これにより、住戸インターホン１のグランドＧ１と通話制御装置４のグランドＧ２とは、通信線Ｌを介して接続されている。そして、通信線Ｌにおいて、通信信号の送受信が行われていないとき（電流が流れていないとき）は、住戸インターホン１のグランドＧ１の電位ＶＧ１と通話制御装置４のグランドＧ２の電位ＶＧ２とは同じ（ＶＧ１＝ＶＧ２）となる。
【０００６】
しかしながら、通話制御装置４から住戸インターホン１に、あるいは、住戸インターホン１から通話制御装置４に、通信信号（ディジタル信号）が送出されると、図６に示すように、住戸インターホン１のグランドＧ１の電位ＶＧ１および通話制御装置４のグランドＧ２の電位ＶＧ２は、互いの空間電位を揺らし合ってしまい変動する。この時、図７に示すように、ディジタル信号である通信信号は、空間電位の揺れに対してほとんど影響を受けないが、アナログ信号である映像信号および音声信号は、アナログ波形にノイズが入り、空間電位の揺れに対して影響を受けてしまう。これにより、住戸インターホン１のモニタに映る映像が乱れたり、住戸インターホン１に届けられる音声が聞こえにくくなるなどの問題があった。
【０００７】
そこで、このような問題を解決するために、アナログ信号に影響を与える空間電位の揺れ、つまりアナログ波形に入るノイズをカットするノイズフィルタを、各装置の信号が入出力される端子の出入口にそれぞれ設けることが考えられるが、各装置の全ての端子の出入口にノイズフィルタを設けると、部品点数が増えてしまい装置全体がコストアップになってしまうという問題があった。また、ディジタル信号（制御パルス信号）に対してノイズフィルタをかけてしまうと、今まで影響を受けていなかったディジタル信号の波形が削られて歪んでしまい、逆に信号の伝送品質を低下させてしまうという問題もあった。
【０００８】
本発明は、上記のような課題を解決するためになされたもので、簡単な構造で、各装置間で送受信される信号に対するコモンモードでのノイズの影響を確実に抑えて、伝送品質を確保することのできるインターホンシステムを提供することを目的としたものである。
【０００９】
【課題を解決するための手段】
本発明に係るインターホンシステムは、集合住宅の各住戸にそれぞれ設置された住戸インターホンと、集合住宅の共同玄関に設置された集合玄関インターホンと、集合住宅に設けられ住戸インターホンおよび集合玄関インターホンの通信信号および音声信号の送受信を制御する通話制御装置と、住戸インターホンと通話制御装置とに接続され、アナログ信号である音声信号が送受信される通話線と、住戸インターホンと通話制御装置とに接続され、デジタル信号である通信信号が送受信される通信線とを備えたインターホンシステムにおいて、各住戸インターホンに、レギュレータを有し、通信信号を入出力するための入出力回路を設けると共に、通話制御装置に、電流制御回路を有し、通信信号を入出力するための入出力回路を設け、該入出力回路に、相互の装置を電気的に絶縁し、かつ信号の授受を行うためのフォトカプラを設け、それぞれの入出力回路の接続端子に通信線を接続して、デジタル信号の送受信によるグランド電位の変動の影響を与えずに、音声信号の伝送品質を確保するものである。
【００１０】
また、本発明に係るインターホンシステムは、住戸インターホンに設けられ、入出力回路に接続される入出力端子を有するマイクロコンピュータと、通話制御装置に設けられ、入出力回路に接続される入出力端子を有するマイクロコンピュータとを備え、入出力回路のマイクロコンピュータ側のグランドは、フォトカプラによってそれぞれ通信線とは電気的に切り離されるものである。
【００１２】
【発明の実施の形態】
図１は本発明が適用されるインターホンシステムの構成を示す系統図、図２は本発明の実施の形態の概念を示す模式図、図３は図２のＡ部分の回路図である。
【００１３】
図１において、１は集合住宅の各住戸にそれぞれ設置されたモニタ２を有する住戸インターホンで、集合住宅の共同玄関に設けられたドアを解錠させる機能と、自住戸の玄関ドアの近傍に設けられたドアホンおよび共同玄関との通話機能と、火災、ガス漏れおよび防犯等の警報機能と、住戸内に設置された火災感知器のドアホンを介しての遠隔試験機能等とを備えている。また、モニタ２には、後述する集合玄関インターホンのカメラで撮像された映像、例えば集合玄関インターホンを操作している来訪者の顔付近の映像が映し出される。３は集合住宅の管理室に設置されたモニタ２を有する管理室インターホンで、共同玄関のドアを解錠させる機能と、各住戸および共同玄関との通話機能と、各住戸における火災、ガス漏れおよび防犯等の警報機能と、各住戸への個別放送または集合住宅内での一斉放送機能等とを備えている。
【００１４】
４は集合住宅の例えば管理室に設置された映像制御装置５を有する通話制御装置で、各住戸、管理室および共同玄関における通話および通信制御機能と、共同玄関のドアの解錠指令制御機能等とを備えている。また、映像制御装置５は、集合玄関インターホンのカメラが捕らえた映像を、各住戸の住戸インターホン１のモニタ２および管理室インターホン３のモニタ２に映し出させる映像制御機能を備えている。６は集合住宅の例えば１階にある共同玄関先に設置されたカメラ７を有する集合玄関インターホンで、定常時には鎖錠状態となっている共同玄関のドアを解錠させる機能と、各住戸との通話機能等とを備えている。また、カメラ７は、例えば集合玄関インターホン６を操作している来訪者の顔付近を映す。８は各住戸インターホン１および管理室インターホン３のそれぞれのモニタ２に対応して設置された映像アダプタで、スイッチを切り換えることによって対応するモニタ２に電源を供給し映像制御装置５からの映像信号を送信するものである。
【００１５】
また、通話制御装置４は、通信線Ｌ１１，Ｌ１２，Ｌ１３および通話線Ｌ２１，Ｌ２２，Ｌ２３を介して各住戸インターホン１、管理室インターホン３および集合玄関インターホン６に接続され、映像制御装置５は、映像線Ｌ３１，Ｌ３２，Ｌ３３を介して各住戸、管理室のモニタ２および集合玄関インターホン６（カメラ７）に接続されており、ディジタル信号である呼出信号等の通信信号は通信線Ｌ１１，Ｌ１２，Ｌ１３を介して送受信され、アナログ信号である音声信号は通話線Ｌ２１，Ｌ２２，Ｌ２３、同じくアナログ信号である映像信号は映像線Ｌ３１，Ｌ３２，Ｌ３３を介して送受信される。
【００１６】
そして、上述した各住戸インターホン１、管理室インターホン３、通話制御装置４、映像制御装置５、集合玄関インターホン６および各映像アダプタ８によって、インターホンシステム１０が構成される。なお、管理室インターホン３は通話制御装置４と一体に構成してもよく、管理室が設けられていない集合住宅では管理室インターホン３を省略し、通話制御装置４のみを集合住宅の適宜な場所に設置してもよい。
【００１７】
ここで、まず、インターホンシステム１０の動作について、図１を参照しながら住戸インターホン１と集合玄関インターホン６との間の例で説明する。
例えば来訪者が共同玄関に設置されている集合玄関インターホン６の操作部のテンキー（図示せず）を操作し、訪問先の住戸番号例えば２０１を入力して操作部の呼出ボタン（図示せず）を押すと、入力された住戸番号２０１を含む呼出信号（通信信号）が、集合玄関インターホン６から通信線Ｌ１３を介して通話制御装置４に出力され、来訪者は訪問先からの応答を待つ。
【００１８】
通話制御装置４は、集合玄関インターホン６からの呼出信号（通信信号）を受信すると、呼出信号（通信信号）を、通話線Ｌ１１を介して訪問先（住戸番号２０１）である住戸の住戸インターホン１に送出するとともに、映像制御装置５に映像線接続信号（通信信号）を出力する。映像制御装置５は、接続スイッチ５ａを接続して集合玄関インターホン６のカメラ７を起動させ、撮像した来訪者の映像信号を映像線Ｌ３３から映像線Ｌ３１に送る。
【００１９】
訪問先（住戸番号２０１）である住戸の住戸インターホン１は、通話制御装置４からの呼出信号（通信信号）を受信すると、住戸インターホン１の図示しないスピーカから呼出音を発する。これと同時に、住戸インターホン１は、その住戸インターホン１に対応する映像アダプタ８の接続スイッチ８ａを接続させてモニタ２を起動し、モニタ２に映像制御装置５から映像線Ｌ３１，Ｌ３２を介して送られてきた映像信号による映像を映し出す。ついで、居住者によって住戸インターホン１に設けられた送受話器１ｃが取り上げられ、送受話器１ｃにより押下されていたフック（図示せず）が開放されると、住戸インターホン１は、接続スイッチ１ｄを接続するとともに、通話応答信号（通信信号）を、通信線Ｌ１１を介して通話制御装置４に送出する。
【００２０】
通話制御装置４は、住戸インターホン１からの応答信号（通信信号）を受信しると、集合玄関インターホン６に通話指令信号（通信信号）を通信線Ｌ１３を介して出力する。
【００２１】
集合玄関インターホン６は、通話制御装置４からの通話指令信号（通信信号）を受信すると、接続スイッチ６ａを接続して通話線Ｌ２３，Ｌ２１による通話路を形成し、集合玄関インターホン６のマイクおよびスピーカ（図示せず）を起動させ、来訪者および居住者との間の通話を可能にする。また、住戸インターホン１の図示しない解錠ボタンが押されると、住戸インターホン１から解除指令信号（通信信号）が通信線Ｌ１１、通話制御装置４および通信線Ｌ１３を介して集合玄関インターホン６に出力され、解錠指令信号（通信信号）を受信した集合玄関インターホン６は、共同玄関のドアを開放し、来訪者の入館を可能とする。
【００２２】
そして、通話が終了して住戸インターホン１の送受話器１ｃが元に戻されフックが閉塞されると、住戸インターホン１は、接続スイッチ１ｄを開放し、通話終了信号（通信信号）を通信線Ｌ１１を介して通話制御装置４に出力する。通話制御装置４は、通話終了信号（通信信号）を受信すると、集合玄関インターホン６に通話終了指令信号（通信信号）を通信線Ｌ１３を介して出力するとともに、映像制御装置５に映像線解放信号（通信信号）を出力する。映像制御装置５は、接続スイッチ５ａを開放して映像線Ｌ３１，Ｌ３３の接続を解放する。また、通話終了指令信号（通信信号）を受信した集合玄関インターホン６は、接続スイッチ６ａを開放して通話線Ｌ２１，Ｌ２３の接続を解放し、居住者と来訪者との通話路を遮断する。
【００２３】
上記の説明によりインターホンシステム１０の動作が明らかになったところで、次に図２および図３について説明する。
図２において、Ａ１およびＡ２は通信線Ｌ１１を介して接続されている住戸インターホン１および通話制御装置４の通信信号を入出力するための入出力回路、Ｂは住戸インターホン１からモニタ２に通信信号を出力するための出力回路、Ｃは通話制御装置４から映像制御装置５に通信信号を出力するための出力回路で、入出力回路Ａ１，Ａ２および出力回路Ｂ，Ｃは、相互の装置を電気的に絶縁し、かつ信号を授受するためのフォトカプラ９を備えている。なお、図２の入出力回路Ａ１，Ａ２および出力回路Ｂ，Ｃは、それぞれの装置内に内蔵されているものであるが、説明の便宜上外付けして図示している。
【００２４】
また、図３において、１ａは入出力端子ｔ１，ｔ２を有する住戸インターホン１のマイクロコンピュータ（以下、マイコンという）、４ａは入出力端子ｔ５，ｔ６を有する通話制御装置４のマイコンである。ｔ３，ｔ４，ｔ７，ｔ８は住戸インターホン１の入出力回路Ａ１および通話制御装置４の入出力回路Ａ２の接続端子で、抵抗Ｒ１を有する通信線Ｌ１１を介してそれぞれ接続されている。９ａ〜９ｄはフォトカプラ、Ｔ１〜Ｔ６はトランジスタ、ＺＤはツェナーダイオード、ＲＧはレギュレータ、Ｉは電流制御回路、ＣＰは比較回路、Ｇ１〜Ｇ４はグランドである。
【００２５】
次のこの実施の形態の作用について、図２および図３を参照しながら説明する。
例えば通話制御装置４から出力される呼出信号（通信信号）を住戸インターホン１が受信する場合には、通話制御装置４では、ディジタル信号である呼出信号（通信信号）、つまり制御パルス信号を、通話制御装置４のマイコン４ａの出力端子ｔ５から発信する。この制御パルス信号がＬレベルの信号になると、通話制御装置４の入出力回路Ａ２のフォトカプラ９ｃが動作し、その結果、トランジスタＴ３，Ｔ５，Ｔ６はオフとなり、トランジスタＴ４がオンとなるため、通信線Ｌ１１に制御パルス信号が出力される。この時、住戸インターホン１の入出力回路Ａ１のフォトカプラ９ｂはオン状態となっている。ついで、住戸インターホン１は、通信線Ｌ１１から入出力回路Ａ１の接続端子ｔ３に制御パルス信号が入力されると、この制御パルス信号がツェダーダイオードＺＤで検出され、トランジスタＴ１がオフになる。そして、フォトカプラ９ａが動作して入力端子ｔ１に制御パルス信号、Ｈレベルの信号が取り込まれる。また、通話制御装置４のマイコン４ａの出力端子ｔ５から制御パルス信号のＨレベルの信号が発信されると、入出力回路Ａ２，Ａ１を介して住戸インターホン１のマイコン１ａの入力端子ｔ１に制御パルス信号、Ｌレベルの信号が取り込まれる。
【００２６】
また、住戸インターホン１から出力される応答信号（通信信号）を通話制御装置４が受信する場合には、住戸インターホン１では、応答信号（通信信号）つまり制御パルス信号を、住戸インターホン１のマイコン１ａの出力端子ｔ２から発信する。この制御パルス信号がＨレベルの信号になると、住戸インターホン１の入出力回路Ａ１のフォトカプラ９ｂが動作し、その結果、電流制御回路Ｉから接続端子ｔ７に電流が送り出されて通信線Ｌ１１に制御パルス信号が出力され、さらに、接続端子ｔ３を介して接続端子ｔ４から通信線Ｌ１１に制御パルス信号が出力される。この時、通話制御装置４のトランジスタＴ３はオン状態となっている。ついで、通話制御装置４は、通信線Ｌ１１から入出力回路Ａ２の接続端子ｔ７，ｔ８間に制御パルス信号が入力されると、その電位が比較回路ＣＰで検出される。その検出結果に基づいてフォトカプラ９ｄは動作し、入力端子ｔ６に制御パルス信号、Ｌレベルの信号が取り込まれる。また、住戸インターホン１のマイコン１ａの出力端子ｔ１から制御パルス信号のＬレベルの信号が発信されると、入出力回路Ａ１，Ａ２を介して通話制御装置４のマイコン４ａの入力端子ｔ６に制御パルス信号、Ｈレベルの信号が取り込まれる。
【００２７】
このようにして、住戸インターホン１および通話制御装置４の間における通信信号の送受信は行われる。この時、通信線Ｌ１１には電流が流れるため、住戸インターホン１および通話制御装置４の入出力回路Ａ１，Ａ２のグランドＧ１，Ｇ２の電位ＶＧ１，ＶＧ２は、図４に示すように、制御パルス信号に応じて変動する。しかしながら、入出力回路Ａ１のマイコン１ａ側のグランドＧ３および入出力回路Ａ２のマイコン４ａ側のグランドＧ４は、フォトカプラ９ａ〜９ｄによってそれぞれ通信線Ｌ１１とは電気的に切り離されているため、グランドＧ３の電位ＶＧ３およびグランドＧ４の電位ＶＧ４は、図４に示すように、変動しない。
【００２８】
これにより、住戸インターホン１および通話制御装置４の間での通信信号の送受信が確実に行われる。また、住戸インターホン１および通話制御装置４の間で送受信される音声信号（アナログ信号）に対しても、住戸インターホン１のグランドＧ１の電位ＶＧ１および通話制御装置４のグランドＧ２の電位ＶＧ２の変動の影響を与えず、ノイズを抑えることができ、届けられる音声が聞こえにくい等のない伝送品質が確保されたインターホンシステム１０を得ることができる。
【００２９】
また、住戸インターホン１からモニタ２に通信信号を出力するための出力回路Ｂおよび通話制御装置４から映像制御装置５に通信信号を出力するための出力回路Ｃにおいても、相互の装置を電気的に絶縁し、かつ信号を授受するためのフォトカプラ９を備えているため、モニタ２および映像制御装置５の間で送受信される映像信号（アナログ信号）に対しても同様に、住戸インターホン１のグランドＧ１の電位ＶＧ１および通話制御装置４のグランドＧ２の電位ＶＧ２の変動の影響を与えず、ノイズを確実に抑えることができ、モニタ２に映し出される映像の乱れなどのない伝送品質が確保されたインターホンシステム１０を得ることができる。
【００３０】
なお、上述の実施の形態では、フォトカプラ９を住戸インターホン１および通話制御装置４の通信信号の入出力回路Ａ１，Ａ２、住戸インターホン１からモニタ２への通信信号の出力回路Ｂおよび通話制御装置４から映像制御装置５への制御信号の出力回路Ｃに備えた場合を示したが、例えば管理室インターホン３および通話制御装置４の通信信号の入出力回路、集合玄関インターホン６および通話制御装置４の通信信号の入出力回路、管理室インターホン３からモニタ２への通信信号の出力回路および集合玄関インターホン６からカメラ７への通信信号の出力回路にも備えてもよい。これらの場合も同様の効果を奏する。
【００３１】
また、上述の実施の形態では通信信号、音声信号および映像信号の３つの信号を有するインターホンシステム１０を例示して説明したが、モニタ２、カメラ７、映像制御装置５および映像線Ｌ３１，Ｌ３２，Ｌ３３を省略し、通信信号および音声信号の２つの信号を有するものとしてもよい。この場合も同様の効果を奏する。
【００３２】
【発明の効果】
以上のように本発明に係るインターホンシステムは、集合住宅の各住戸にそれぞれ設置された住戸インターホンと、集合住宅の共同玄関に設置された集合玄関インターホンと、集合住宅に設けられ住戸インターホンおよび集合玄関インターホンの通信信号および音声信号の送受信を制御する通話制御装置と、住戸インターホンと通話制御装置とに接続され、アナログ信号である音声信号が送受信される通話線と、住戸インターホンと通話制御装置とに接続され、デジタル信号である通信信号が送受信される通信線とを備えたインターホンシステムにおいて、各住戸インターホンに、レギュレータを有し、通信信号を入出力するための入出力回路を設けると共に、通話制御装置に、電流制御回路を有し、通信信号を入出力するための入出力回路を設け、該入出力回路に、相互の装置を電気的に絶縁し、かつ信号の授受を行うためのフォトカプラを設け、それぞれの入出力回路の接続端子に通信線を接続して、デジタル信号の送受信によるグランド電位の変動の影響を与えずに、音声信号の伝送品質を確保するので、各住戸インターホンおよび通話制御装置へのノイズの侵入経路を少なくすることができ、通信信号および音声信号に対するノイズの影響を抑えて、送受信される信号の伝損品質を確保できるインターホンシステムを得ることができる。
【００３３】
また、本発明に係るインターホンシステムは、住戸インターホンに設けられ、入出力回路に接続される入出力端子を有するマイクロコンピュータと、通話制御装置に設けられ、入出力回路に接続される入出力端子を有するマイクロコンピュータとを備え、入出力回路のマイクロコンピュータ側のグランドは、フォトカプラによってそれぞれ通信線とは電気的に切り離されるので、上記のような効果を得ることができる。
【図面の簡単な説明】
【図１】本発明が適用されるインターホンシステムの構成を示す系統図である。
【図２】本発明の実施の形態の概念を示す模式図である。
【図３】図２のＡ部分の回路図である。
【図４】本発明の実施の形態に係る通話制御装置から住戸インターホンに送られる通信信号およびその時の電位の状態を示す説明図である。
【図５】従来のインターホンシステムに係る住戸インターホンおよび通話制御装置の通信信号の入出力回路図である。
【図６】従来のインターホンシステムに係る住戸インターホンと通話制御装置との間で送受信される通信信号およびその時の電位の状態を示す説明図である。
【図７】従来のインターホンシステムに係る通話制御装置から住戸インターホンに送られる映像信号、通信信号および音声信号の状態を示す説明図である。
【符号の説明】
１  住戸インターホン
２  モニタ
３  管理室インターホン
４  通話制御装置
５  映像制御装置
６  集合玄関インターホン
７  カメラ
９，９ａ，９ｂ，９ｃ，９ｄ  フォトカプラ
１０  インターホンシステム
Ａ１，Ａ２  入出力回路
Ｂ，Ｃ  出力回路
【図１】
0003829527.tif 000002
【図２】
0003829527.tif 000003
【図３】
0003829527.tif 000004
【図４】
0003829527.tif 000005
【図５】
0003829527.tif 000006
【図６】
0003829527.tif 000007
【図７】
0003829527.tif 000008